(57)【要約】【課題】生産性の向上を図って、製造コストの大幅な低減を図ることができる猫用爪研ぎ器を提供する。【解決手段】複数の段ボールシート１３，１５を非接着で外端面が面一になるよう重ね合わせた第１重合体１１と第２重合体１２とを設け、上記第１重合体１１には、上記第２重合体１２との組合せにより支持固定される開口部１４が設けられ、上記第１重合体１１の開口部１４に上記第２重合体１２を組合せて、各重合体１１，１２を相互に支持固定すると共に、上記各重合体１１，１２において段ボールシート１３，１５の波状の中心原紙ａが露呈する面を、爪研ぎ面１７，１８に設定したことを特徴とする。【選択図】図１
0003206116.tif 000002
【実用新案登録請求の範囲】
【請求項１】
複数の段ボールシートを非接着で外端面が面一になるよう重ね合わせた第１重合体と第２重合体とを設け、
上記第１重合体には、上記第２重合体との組合せにより支持固定される開口部が設けられ、
上記第１重合体の開口部に上記第２重合体を組合せて、各重合体を相互に支持固定すると共に、
上記各重合体において段ボールシートの波状の中心原紙が露呈する面を、爪研ぎ面に設定した
猫用爪研ぎ器。
【請求項２】
上記第１重合体には、その一端から他端側中途部まで切欠き状の開口部が形成され、
上記第２重合体には、その他端から一端側中途部まで切欠き状の開口部が形成され、
上記両重合体の組合せ時に、第１重合体の開口部他端が第２重合体で支持固定されると共に、
第２重合体の開口部一端が第１重合体で支持固定された
請求項１に記載の猫用爪研ぎ器。
【請求項３】
上記開口部は、上記第１重合体の中間部に、上記段ボールシートの重ね合わせ方向に貫通形成された挿入口であり、
上記第２重合体は上記挿入口内に挿入される挿入口と対応形状の柱状体に形成された
請求項１に記載の猫用爪研ぎ器。
【請求項４】
上記各重合体は着脱可能に組付けられた
請求項１〜３の何れか一項に記載の猫用爪研ぎ器。
【請求項５】
上記第１重合体と第２重合体との少なくとも何れか一方において、段ボールシートの波状の中心原紙が露呈しない他の外面を、波状、鋸歯状または凹凸状と成して、段ボールシートの波状の中心原紙を露呈させた
請求項１〜４の何れか一項に記載の猫用爪研ぎ器。
【考案の詳細な説明】
【技術分野】
【０００１】
この考案は、猫が爪を研ぐために用いる猫用爪研ぎ器に関する。
【背景技術】
【０００２】
一般に、猫は、爪を研ぐ習性があり、家具や部屋の柱、壁、床、敷物等を引っ掻いて、これらを損傷させることがある。このような損傷を回避するために従来から各種の猫用爪研ぎ器が考案されている。
【０００３】
特許文献１には次のような猫用爪研ぎ器が開示されている。  
すなわち、猫が爪を研ぐための爪研ぎ部と、爪研ぎ部を収納する収納容器とを備えた猫用爪研ぎ器において、上記爪研ぎ部が、４枚の爪研ぎ板を積層して構成され、爪研ぎ面を各爪研ぎ板の表裏両面に備え、１つの爪研ぎ部で８面の爪研ぎ面を確保して、ランニングコストの低減を図るものである。
【０００４】
上記特許文献１の１つの爪研ぎ板１００は、図１１に示すように、一対のライナ１０１，１０１間に位置する波状の中心原紙１０２が表裏方向（図示の上下方向）に指向するよう長尺の複数の段ボール片１０３，１０３…を形成し、これら複数の各段ボール片１０３を合成糊等の接着剤を用いて圧接固着したものであるから、爪研ぎ板１００乃至猫用爪研ぎ器の生産性が悪いうえ、爪研ぎ部を収納する収納容器を必須要件とするという問題点があった。
【０００５】
また、特許文献２には、爪研ぎ面を形成した爪研ぎ本体と、この爪研ぎ本体を収納する箱体とを備えた猫用爪研ぎ器において、上記爪研ぎ本体は、ダンボールをライナと直交方向に連続してジグザグ状に折曲して爪研ぎ面を形成し、該爪研ぎ本体を、開口部を有する六面体構造の箱体に収納し、箱体の開口部から上記爪研ぎ面を露呈させたものである。
【０００６】
この特許文献２に開示された猫用爪研ぎ器においては、ダンボールをジグザグ状に折曲して爪研ぎ面を形成するものであるから、爪研ぎ本体の生産性が悪いうえ、爪研ぎ本体を収納する箱体が必須構造になるという問題点があった。
【先行技術文献】
【特許文献】
【０００７】
【特許文献１】実用新案登録第３０７２２５０号公報
【特許文献２】実用新案登録第３０５０１３９号公報
【考案の概要】
【考案が解決しようとする課題】
【０００８】
そこで、この考案は、生産性の向上を図って、製造コストの大幅な低減を図ることができる猫用爪研ぎ器の提供を目的とする。
【課題を解決するための手段】
【０００９】
この考案による猫用爪研ぎ器は、複数の段ボールシートを非接着で外端面が面一になるよう重ね合わせた第１重合体と第２重合体とを設け、上記第１重合体には、上記第２重合体との組合せにより支持固定される開口部が設けられ、上記第１重合体の開口部に上記第２重合体を組合せて、各重合体を相互に支持固定すると共に、上記各重合体において段ボールシートの波状の中心原紙が露呈する面を、爪研ぎ面に設定したものである。  
上述の段ボールシートとしては、片面にのみライナを有する片面段ボールシート、両面にライナを有する両面段ボールシート、２列構造の波状の中心原紙を備えた複両面段ボールシート、３列構造の波状の中心原紙を備えたトリウォール段ボールシートを用いることができる。
【００１０】
上記構成によれば、各段ボールシートを一切接着することなく、上記第１重合体と第２重合体との組合せにより、これら両者（第１重合体と第２重合体）を支持固定し、爪研ぎ面を有する猫用爪研ぎ器が構成されるので、その生産性の向上を図って、製造コストの大幅な低減を図ることができる。  
また、複数の段ボールシートは、外端面が面一になるよう重ね合わせるので、適切な爪研ぎ面の確保と、見映の確保との両立を図ることができる。
【００１１】
この考案の一実施態様においては、上記第１重合体には、その一端から他端側中途部まで切欠き状の開口部が形成され、上記第２重合体には、その他端から一端側中途部まで切欠き状の開口部が形成され、上記両重合体の組合せ時に、第１重合体の開口部他端が第２重合体で支持固定されると共に、第２重合体の開口部一端が第１重合体で支持固定されたものである。
【００１２】
上記構成によれば、第１重合体の切欠き状の開口部と、第２重合体の切欠き状の開口部とを一致させて、これら各重合体を組付けると、第１重合体の開口部他端が第２重合体で支持固定され、第２重合体の開口部一端が第１重合体で支持固定されるので、外面に爪研ぎ面を有する猫用爪研ぎ器を、簡単に構成することができると共に、上記両重合体を強固に支持固定することができる。
【００１３】
この考案の一実施態様においては、上記開口部は、上記第１重合体の中間部に、上記段ボールシートの重ね合わせ方向に貫通形成された挿入口であり、上記第２重合体は上記挿入口内に挿入される挿入口と対応形状の柱状体に形成されたものである。
【００１４】
上記構成によれば、柱状体で形成された第２重合体を、第１重合体の挿入口に挿入するだけで、第２重合体は第１重合体の挿入口の口縁で支持固定され、第１重合体は柱状部（第２重合体）で支持固定されるので、外面に爪研ぎ面を有する猫用爪研ぎ器を、容易に構成することができる。
【００１５】
この考案の一実施態様においては、上記各重合体は着脱可能に組付けられたものである。
【００１６】
上記構成によれば、各重合体が着脱可能であり、かつ各段ボールシートは一切接着されておらず、一枚ずつに分離可能であるから、猫の爪研ぎにより消耗した段ボールシートを、他の位置の段ボールシートや新品の段ボールシートと容易に変換することができる。
【００１７】
この考案の一実施態様においては、上記第１重合体と第２重合体との少なくとも何れか一方において、段ボールシートの波状の中心原紙が露呈しない他の外面を、波状、鋸歯状または凹凸状と成して、段ボールシートの波状の中心原紙を露呈させたものである。
【００１８】
上記構成によれば、段ボールシートの波状の中心原紙が露呈していない他の外面を加工して、段ボールシートの波状の中心原紙を露呈させたので、爪研ぎ面の拡大を図って、耐久性の向上を図ることができる。
【考案の効果】
【００１９】
この考案によれば、各段ボールシートを一切接着することなく、第１重合体と第２重合体との組合せにより、これら両者（第１重合体と第２重合体）を支持固定して、爪研ぎ面を有する猫用爪研ぎ器が構成されるので、その生産性の向上を図って、製造コストの大幅な低減を図ることができる効果がある。
【図面の簡単な説明】
【００２０】
【図１】この考案の猫用爪研ぎ器を示す斜視図
【図２】図１の分解斜視図
【図３】猫用爪研ぎ器の他の実施例を示す斜視図
【図４】猫用爪研ぎ器のさらに他の実施例を示す斜視図
【図５】図４の分解斜視図
【図６】猫用爪研ぎ器のさらに他の実施例を示す斜視図
【図７】図６の分解斜視図
【図８】猫用爪研ぎ器のさらに他の実施例を示す斜視図
【図９】猫用爪研ぎ器のさらに他の実施例を示す斜視図
【図１０】猫用爪研ぎ器のさらに他の実施例を示す斜視図
【図１１】従来の猫用爪研ぎ器における単一の爪研ぎ板の分解斜視図
【考案を実施するための形態】
【００２１】
生産性の向上を図って、製造コストの大幅な低減を図るという目的を、複数の段ボールシートを非接着で外端面が面一になるよう重ね合わせた第１重合体と第２重合体とを設け、上記第１重合体には、上記第２重合体との組合せにより支持固定される開口部が設けられ、上記第１重合体の開口部に上記第２重合体を組合せて、各重合体を相互に支持固定すると共に、上記各重合体において段ボールシートの波状の中心原紙が露呈する面を、爪研ぎ面に設定するという構成にて実現した。
【００２２】
（実施例１）  
この考案の一実施例を以下図面に基づいて詳述する。  
図面は猫用爪研ぎ器を示し、図１は当該猫用爪研ぎ器の斜視図、図２は図１の分解斜視図である。  
図１に示す猫用爪研ぎ器１０は、図２に示す１つの第１重合体１１と２つの第２重合体１２，１２とを組合せて構成したものである。
【００２３】
第１重合体１１は、平面視方形状の複数の段ボールシート１３…を、非接着で四辺の各外端面がそれぞれ面一になるように重ね合わせて形成したもので、この第１重合体１１には、段ボールシート１３の波状の中心原紙ａが露呈する側の一端１１ａから他端１１ｂ側の中途部（この実施例では、中央部）まで切欠き状の２つの開口部１４，１４が互いに平行に形成されている。
【００２４】
第２重合体１２は、側面視方形状の複数の段ボールシート１５…を、非接着で四辺の各外端面がそれぞれ面一になるように重ね合わせて形成したもので、この第２重合体１２には、段ボールシート１５の波状の中心原紙ａが露呈する側の他端１２ｂから一端１２ａ側の中途部（この実施例では、中央部）まで切欠き状の開口部１６が形成されている。
【００２５】
上述の第１重合体１１に互いに平行な２つの開口部１４，１４を形成することで、該第１重合体１１は、図２に示すように、平面視で略Ｅ字状となり、上述の第２重合体１２は切欠き状の開口部１６を形成することで、該第２重合体１２は、同図に示すように、側面視で略コ字状となる。
【００２６】
ここで、第１重合体１１における複数の段ボールシート１３、並びに、第２重合体１２における複数の段ボールシート１５は、何れも１０枚重ねに構成しているが、段ボールシート１３，１５の重ね合わせ枚数はこれに限定されるものではなく、１０枚以上であっても、１０枚以下であってもよい。  
また、第１重合体１１の切欠き状の開口部１４における左右幅は、第２重合体１２の厚みと同等に形成されており、第２重合体１２の切欠き状の開口部１６における上下幅は、第１重合体１１の厚みと同等に形成されている。
【００２７】
そして、図２に示すように、第１重合体１１の２つの切欠き状の開口部１４，１４と、２つの第２重合体１２，１２の各切欠き状の開口部１６，１６とを一致するように対向させて、これら両重合体１１，１２，１２を組付けると、図１に示すように、第１重合体１１の開口部１４他端側が第２重合体１２で支持固定され、第２重合体１２の開口部１６一端側が第１重合体１１で支持固定される。
【００２８】
図１に示すように、両重合体１１，１２，１２を組付けた状態下において、各重合体１１，１２，１２の中央原紙ａが外部に露呈する面を、爪研ぎ面１７，１８に設定している。
【００２９】
第１重合体１１および第２重合体１２は、図２に示す状態から図１に示すように取付けることができると共に、図１に示す状態から図２に示すように取外すことができるものである。
【００３０】
すなわち、各重合体１１，１２は着脱可能に組付けられたものであって、第１重合体１１と第２重合体１２とを図２に示すように取外すと、各段ボールシート１３，１５はそれぞれ一枚ずつに分離できるものである。
【００３１】
このように、図１，図２で示した実施例１の猫用爪研ぎ器１０は、複数の段ボールシート１３，１５を非接着で外端面が面一になるよう重ね合わせた第１重合体１１と第２重合体１２とを設け、上記第１重合体１１には、上記第２重合体１２との組合せにより支持固定される開口部１４が設けられ、上記第１重合体１１の開口部１４に上記第２重合体１２を組合せて、各重合体１１，１２を相互に支持固定すると共に、上記各重合体１１，１２において段ボールシート１３，１５の波状の中心原紙ａが露呈する面を、爪研ぎ面１７，１８に設定したものである（図１，図２参照）。
【００３２】
この構成によれば、各段ボールシート１３，１５を一切接着することなく、上記第１重合体１１と第２重合体１２との組合せにより、これら両者（第１重合体１１と第２重合体１２）を支持固定し、爪研ぎ面１７，１８を有する猫用爪研ぎ器１０が構成されるので、その生産性の向上を図って、製造コストの大幅な低減を図ることができる。  
また、複数の段ボールシート１３，１５は、外端面がそれぞれ面一になるよう重ね合わせたので、適切な爪研ぎ面１７，１８の確保と、見映の確保との両立を図ることができる。
【００３３】
この考案の一実施形態においては、上記第１重合体１１には、その一端から他端側中途部まで切欠き状の開口部１４が形成され、上記第２重合体１２には、その他端から一端側中途部まで切欠き状の開口部１６が形成され、上記両重合体１１，１２の組合せ時に、第１重合体１１の開口部１４他端が第２重合体１２で支持固定されると共に、第２重合体１２の開口部１６一端が第１重合体１１で支持固定されたものである（図１，図２参照）。
【００３４】
この構成によれば、第１重合体１１の切欠き状の開口部１４と、第２重合体１２の切欠き状の開口部１６とを一致させて、これら各重合体１１，１２を組付けると、第１重合体１１の開口部１４他端が第２重合体１２で支持固定され、第２重合体１２の開口部１６一端が第１重合体１１で支持固定されるので、外面に爪研ぎ面１７，１８を有する猫用爪研ぎ器１０を、簡単に構成することができると共に、上記両重合体１１，１２を強固に支持固定することができる。
【００３５】
この考案の一実施形態においては、上記各重合体１１，１２は着脱可能に組付けられたものである（図１，図２参照）。
【００３６】
この構成によれば、各重合体１１，１２が着脱可能であり、かつ各段ボールシート１３，１５は一切接着されておらず、一枚ずつに分離可能であるから、猫の爪研ぎにより消耗した段ボールシート１３，１５を、他の位置の段ボールシート１３，１５や新品の段ボールシートと容易に変換することができる。猫は爪研ぎ時に、爪研ぎ面１７，１８のうち上下または左右の端部に位置する中心原紙ａを使用する習性があり、このような場合に有効となる。
【００３７】
図１，図２で示した実施例１においては、１つの第１重合体１１と２つの第２重合体１２，１２とを組合せて猫用爪研ぎ器１０を構成したが、第１重合体１１と第２重合体１２とは各１つ、または、それ以上であってもよい。また、上記実施例１においては、第１重合体１１における段ボールシート１３の重ね合わせ枚数と、第２重合体１２における段ボールシート１５の重ね合わせ枚数とを同数に設定したが、必ずしもこれに限定されるものではなく、重ね合わせ枚数が第１重合体１１と第２重合体１２とで互いに異なっていてもよい。
【００３８】
（実施例２）  
図３は猫用爪研ぎ器の他の実施例を示す斜視図である。  
図３に示すこの実施例２の猫用爪研ぎ器２０は、図１，図２で示した実施例１の構造に加えて、第１重合部１１と第２重合体１２との少なくとも何れか一方（この実施例では各重合体１１，１２の双方）において、段ボールシート１３，１５の波状の中心原紙ａが露呈しない他の外面、すなわち、第１重合体１１の左端外面および右端外面と、第２重合体１２の上端外面および下端外面を、波状、鋸歯状または凹凸状（この実施例では三角波状）と成して、段ボールシート１３，１５の波状の中心原紙ａが露呈する第２の爪研ぎ面２１，２２，２３，２４を形成したものである。
【００３９】
段ボールシート１３，１５の波状の中心原紙ａが露呈していない他の外面（図１参照）を、波状、鋸歯状または凹凸状に加工すると、その加工面には中心原紙ａが露呈する。図３に示すように、三角波状に加工すると、その加工面には爪研ぎ面１７，１８の中心原紙ａのピッチに対して、ピッチが大きい状態で中心原紙ａが露呈する。
【００４０】
このように、図３で示した実施例２においては、上記第１重合体１１と第２重合体１２との少なくとも何れか一方において、段ボールシート１３，１５の波状の中心原紙ａが露呈しない他の外面を、波状、鋸歯状または凹凸状と成して、段ボールシート１３，１５の波状の中心原紙ａを露呈させたものである（第２の爪研ぎ面２１，２２，２３，２４参照）。
【００４１】
この構成によれば、段ボールシート１３，１５の波状の中心原紙ａが露呈していない他の外面を加工して、段ボールシート１３，１５の波状の中心原紙ａを露呈させたので、爪研ぎ面１７，１８に加えて第２の爪研ぎ面２１，２２，２３，２４を形成することができ、爪研ぎ面を拡大して、耐久性の向上を図ることができる。
【００４２】
なお、図３で示した実施例２において、その他の構成、作用、効果は、図１，図２で示した先の実施例１と同様であるから、図３において前図と同一の部分には同一符号を付して、その詳しい説明を省略する。
【００４３】
（実施例３）  
図４は猫用爪研ぎ器のさらに他の実施例を示す斜視図、図５は図４の分解斜視図である。  
図４に示す猫用爪研ぎ器３０は、図５に示す１つの第１重合体３１と１つの第２重合体３２とを組合せて構成したものである。
【００４４】
第１重合体３１は、正面視円形状の複数の段ボールシート３３…を、非接着で外周端面が面一になるように重ね合わせて形成したもので、この第１重合体３１には、その一端３１ａから他端３１ｂ側の中途部（この実施例では、中央部）まで切欠き状の開口部３４が形成されている。
【００４５】
第２重合体３２は、側面視円形状の複数の段ボールシート３５…を、非接着で外周端面が面一になるように重ね合わせて形成したもので、この第２重合体３２には、その他端３２ｂから一端３２ａ側の中途部（この実施例では、中央部）まで切欠き状の開口部３６が形成されている。
【００４６】
そして、図５に示すように、第１重合体３１の切欠き状の開口部３４と、第２重合体３２の切欠き状の開口部３６とを一致するように対向させて、これら両重合体３１，３２を組付けると、図４に示すように、第１重合体３１の開口部３４他端側が第２重合体３２で支持固定され、第２重合体３２の開口部３６一端側が第１重合体３１で支持固定される。
【００４７】
図４に示すように、両重合体３１，３２を組付けた状態下において、各重合体３１，３２の中央原紙ａが外部に露呈する面を、爪研ぎ面３７，３８に設定している。  
この場合、各段ボールシート３３，３５を円形状と成したので、外部に露呈する中心原紙ａはその波状部が正規のピッチから漸増するものの、ある程度の範囲にわたって露呈することになり、比較的広い露呈、範囲を爪研ぎ面３７，３８と成すことができる。
【００４８】
第１重合体３１および第２重合体３２は、図５に示す状態から図４に示すように取付けることができると共に、図４に示す状態から図５に示すように取外すことができるものである。  
すなわち、各重合体３１，３２は着脱可能に組付けられたものであって、第１重合体３１と第２重合体３２とを図５に示すように取外すと、各段ボールシート３３，３５はそれぞれ一枚ずつに分離できるものである。
【００４９】
このように、図４，図５で示した実施例３の猫用爪研ぎ器３０は、複数の段ボールシート３３，３５を非接着で外周端面が面一になるよう重ね合わせた第１重合体３１と第２重合体３２とを設け、上記第１重合体３１には、上記第２重合体３２との組合せにより支持固定される開口部３４が設けられ、上記第１重合体３１の開口部３４に上記第２重合体３２を組合せて、各重合体３１，３２を相互に支持固定すると共に、上記各重合体３１，３２において段ボールシート３３，３５の波状の中心原紙ａが露呈する面を、爪研ぎ面３７，３８に設定したものである（図４，図５参照）。
【００５０】
この構成によれば、各段ボールシート３３，３５を一切接着することなく、上記第１重合体３１と第２重合体３２との組合せにより、これら両者（第１重合体３１と第２重合体３２）を支持固定し、爪研ぎ面３７，３８を有する猫用爪研ぎ器３０が構成されるので、その生産性の向上を図って、製造コストの大幅な低減を図ることができる。
【００５１】
図４，図５で示したこの実施例３においても、その他の構成、作用、効果については、図１，図２で示した先の実施例１とほぼ同様である。
【００５２】
（実施例４）  
図６は猫用爪研ぎ器のさらに他の実施例を示す斜視図、図７は図６の分解斜視図である。  
図６に示す猫用爪研ぎ器４０は、図７に示す１つの第１重合体４１と、１つの第２重合体４２とを組合せて構成したものである。
【００５３】
第１重合体４１は、正面視方形状の複数の段ボールシート４３を、非接着で四辺の各外端面がそれぞれ面一になるように重ね合わせて形成したもので、この第１重合体４１の中間部（この実施例では、中央部）には、段ボールシート４３の重ね合わせ方向に貫通形成された開口部としての角筒形状の挿入口４４を設けている。
【００５４】
第２重合体４２は、平面視方形状の複数の段ボールシート４５…を、非接着で外端面がそれぞれ面一になるように重ね合わせて形成したもので、この第２重合体４２は挿入口４４内に挿入される挿入口４４と対応形状の角柱状体に形成されている。
【００５５】
この実施例では、第１重合体４１の外側に位置する段ボールシート４３の外れ防止を図る目的で、上記挿入口４４における段ボールシート４３の重ね合わせ方向の長さに対して、第２重合体４２の挿入方向の長さが大きくなるよう形成している。
【００５６】
そして、図７に示すように、第１重合体４１の挿入口４４と、第２重合体４２とを一致するように対向させて、第２重合体４２を挿入口４４に挿入することで、これら両重合体４１，４２を組付けると、図６に示すように、第２重合体４２は第１重合体４１の挿入口４４の口縁で外側から支持固定され、第１重合体４１は柱状体（第２重合体４２）で内側から支持固定される。
【００５７】
図６に示す両重合体４１，４２の組付け状態下において、各重合体４１，４２の波状の中心原紙ａが外部に露呈する面を、爪研ぎ面４７，４８に設定している。
【００５８】
第１重合体４１および第２重合体４２は、図７に示す状態から図６に示すように取付けることができると共に、図６に示す状態から図７に示すように取外すことができるものである。  
すなわち、各重合体４１，４２は着脱可能に組付けられたものであって、第１重合体４１と第２重合体４２とを図７に示すように取外すと、各段ボールシート４３，４５はそれぞれ一枚ずつに分離できるものである。
【００５９】
このように、図６，図７で示した実施例４の猫用爪研ぎ器４０は、複数の段ボールシート４３，４５を非接着で外端面がそれぞれ面一になるよう重ね合わせた第１重合体４１と第２重合体４２とを設け、上記第１重合体４１には、上記第２重合体４２との組合せにより支持固定される開口部（挿入口４４参照）が設けられ、上記第１重合体４１の開口部（挿入口４４）に上記第２重合体４２を組合せて、各重合体４１，４２を相互に支持固定すると共に、上記各重合体４１，４２において段ボールシート４３，４５の波状の中心原紙ａが露呈する面を、爪研ぎ面４７，４８に設定したものである（図６，図７参照）。
【００６０】
この構成によれば、各段ボールシート４３，４５を一切接着することなく、上記第１重合体４１と第２重合体４２との組合せにより、これら両者（第１重合体４１と第２重合体４２）を支持固定し、爪研ぎ面４７，４８を有する猫用爪研ぎ器４０が構成されるので、その生産性の向上を図って、製造コストの大幅な低減を図ることができる。
【００６１】
この考案の一実施形態においては、上記開口部は、上記第１重合体４１の中間部に、上記段ボールシート４３の重ね合わせ方向に貫通形成された挿入口４４であり、上記第２重合体４２は上記挿入口４４内に挿入される挿入口４４と対応形状の柱状体に形成されたものである（図６，図７参照）。
【００６２】
この構成によれば、柱状体で形成された第２重合体４２を、第１重合体４１の挿入口４４に挿入するだけで、第２重合体４２は第１重合体４１の挿入口４４の口縁で外部から支持固定され、第１重合体４１は柱状部（第２重合体４２）で内部から支持固定されるので、外面に爪研ぎ面４７，４８を有する猫用爪研ぎ器４０を、容易に構成することができる。  
なお、図６，図７で示したこの実施例４においても、各重合体４１，４２は着脱可能に組付けられており、この点に関する作用、効果は先の各実施例１〜３と同様である。
【００６３】
（実施例５）  
図８は猫用爪研ぎ器のさらに他の実施例を示す斜視図である。  
図８に示すこの実施例５の猫用爪研ぎ器５０は、図６，図７で示した実施例４の構造に加えて、第１重合体４１において、段ボールシート４３の波状の中心原紙ａが露呈しない他の外面、すなわち、第１重合体４１の上端外面および下端外面のうちの上端外面を、三角波状と成して、段ボールシート４３の波状の中心原紙ａが露呈する第２の爪研ぎ面４９を形成したものである。
【００６４】
段ボールシート４３の波状の中心原紙ａが露呈していない他の外面（図６参照）を、三角波状に加工すると、その加工面には波状部のピッチが大きい中心原紙ａが露呈する。
【００６５】
このように、図８で示した実施例５においては、
上記第１重合体４１と第２重合体４２との少なくとも何れか一方（第１重合体４１）において、段ボールシート４３の波状の中心原紙ａが露呈しない他の外面（上端外面参照）を、三角波状と成して、段ボールシート４３の波状の中心原紙ａが露呈する第２の爪研ぎ面４９を形成したものである。  
この結果、爪研ぎ面として、爪研ぎ面４７，４８に加えて第２の爪研ぎ面４９を形成することができ、爪研ぎ面の拡大を図ることができる。
【００６６】
このように構成しても、その他の構成、作用、効果については、図６，図７で示した先の実施例４と同様であるから、図８において前図と同一の部分には、同一符号を付して、その詳しい説明を省略する。
【００６７】
（実施例６）  
図９は猫用爪研ぎ器のさらに他の実施例を示す斜視図である。  
図９に示すこの実施例６の猫用爪研ぎ器６０は、図６，図７で示した実施例４の構造に加えて、第１重合体４１において、段ボールシート４３の波状の中心原紙ａが露呈しない他の外面、すなわち、第１重合体４１の上端外面および下端外面の各外面を、凹凸状と成して、段ボールシート４３の波状の中心原紙ａが露呈する第２の爪研ぎ面６１を形成したものである。
【００６８】
段ボールシート４３の波状の中心原紙ａが露呈していない他の外面（図６参照）を、凹凸状に加工すると、その加工面には爪研ぎ面４７の波状の中心原紙ａと同一ピッチの中心原紙ａが露呈する。
【００６９】
このように、図９で示した実施例６においては、
上記第１重合体４１と第２重合体４２との少なくとも何れか一方（第１重合体４１）において、段ボールシート４３の波状の中心原紙ａが露呈しない他の外面を、凹凸状と成して、段ボールシート４３の波状の中心原紙ａが露呈する第２の爪研ぎ面６１を形成したものである。  
この結果、爪研ぎ面として、爪研ぎ面４７，４８に加えて第２の爪研ぎ面６１を形成することができ、爪研ぎ面の拡大を図ることができる。
【００７０】
このように構成しても、その他の構成、作用、効果については、図６，図７で示した先の実施例４と同様であるから、図９において前図と同一の部分には、同一符号を付して、その詳しい説明を省略する。
【００７１】
（実施例７）  
図１０は猫用爪研ぎ器のさらに他の実施例を示す斜視図である。  
図１０に示す猫用爪研ぎ器７０は、１つの第１重合体７１と、１つの第２重合体７２とを組合せて構成したものである。
【００７２】
第１重合体７１は、正面視三角形状（詳しくは、正三角形状）の複数の段ボールシート７３を、非接着で三辺の各外端面がそれぞれ面一になるように重ね合わせて形成したもので、この第１重合体７１の中間部（この実施例では、略中央部）には、段ボールシート７３の重ね合わせ方向に貫通形成された開口部としての角筒形状の挿入口７４を設けている。
【００７３】
第２重合体７２は、平面視方形状の複数の段ボールシート７５…を、非接着で外端面がそれぞれ面一になるように重ね合わせて形成したもので、この第２重合体７２は挿入口７４内に挿入される挿入口７４と対応形状の角柱状体に形成されている。
【００７４】
この実施例でも、第１重合体７１の外側に位置する段ボールシート７３の外れ防止を図る目的で、上記挿入口７４における段ボールシート７３の重ね合わせ方向の長さに対して、第２重合体７２の挿入方向の長さが大きくなるよう形成している。
【００７５】
そして、図１０に示すように、第１重合体７１の挿入口７４と、第２重合体７２とを一致するように対向させて、第２重合体７２を挿入口７４に挿入することで、これら両重合体７１，７２を組付けると、図１０に示すように、第２重合体７２は第１重合体７１の挿入口７４の口縁で外側から支持固定され、第１重合体７１は柱状体（第２重合体７２）で内側から支持固定される。
【００７６】
図１０に示す両重合体７１，７２の組付け状態下において、各重合体７１，７２の波状の中心原紙ａが外部に露呈する面を、爪研ぎ面７７，７８に設定している。
【００７７】
第１重合体７１を構成する段ボールシート７３を、正面視三角形状と成したので、爪研ぎ面７７となる三角形の一辺以外の他の二辺には、波状の中心原紙ａが外部に露呈すると共に、その中心原紙ａの波状部のピッチが大きい第２の爪研ぎ面７９，７９が形成される。  
また、上述の各重合体７１，７２は着脱可能に組付けられたものであって、第１重合体７１と第２重合体７２とを取外すと、各段ボールシート７３，７５はそれぞれ一枚ずつに分離できるものである。
【００７８】
このように、図１０で示した実施例７の猫用爪研ぎ器７０は、複数の段ボールシート７３，７５を非接着で外端面が面一になるよう重ね合わせた第１重合体７１と第２重合体７２とを設け、上記第１重合体７１には、上記第２重合体７２との組合せにより支持固定される開口部（挿入口７４参照）が設けられ、上記第１重合体７１の開口部（挿入口７４）に上記第２重合体７２を組合せて、各重合体７１，７２を相互に支持固定すると共に、上記各重合体７１，７２において段ボールシート７３，７５の波状の中心原紙ａが露呈する面を、爪研ぎ面７７，７８に設定したものである（図１０参照）。
【００７９】
この構成によれば、各段ボールシート７３，７５を一切接着することなく、上記第１重合体７１と第２重合体７２との組合せにより、これら両者（第１重合体７１と第２重合体７２）を支持固定し、爪研ぎ面７７，７８を有する猫用爪研ぎ器７０が構成されるので、その生産性の向上を図って、製造コストの大幅な低減を図ることができる。
【００８０】
図１０で示したこの実施例７においても、その他の構成、作用、効果については、図６，図７で示した先の実施例４とほぼ同様である。
【００８１】
この考案の構成と、上述の実施例との対応において、
この考案の開口部は、実施例の切欠き状の開口部１４，１６，３４，３６、または挿入口４４，７４に対応するも、
この考案は、上述の実施例の構成のみに限定されるものではない。
【００８２】
例えば、上記段ボールシート１３，１５，３３，３５，４３，４５，７３，７５としては、片面にのみライナを有する片面段ボールシート、両面にライナを有する両面段ボールシート、２列構造の波状の中心原紙を備えた複両面段ボールシート、３列構造の波状の中心原紙を備えたトリウォール段ボールシートの何れを採用してもよい。
【００８３】
また、第１重合体、第２重合体を構成する段ボールシートの重ね合わせ枚数は、複数であればよく、実施例で開示した１０枚重ね構造に限定されるものではない。
【００８４】
さらに、第１重合体４１，７１に２つの挿入口４４，４４または７４，７４を離間形成して、これら２つの挿入口に図２で示した第２重合体１２に類似する第２重合体を挿入して猫用爪研ぎ器を構成してもよい。
【産業上の利用可能性】
【００８５】
以上説明したように、本考案は、猫が爪を研ぐために用いる猫用爪研ぎ器について有用である。
【符号の説明】
【００８６】
１１，３１，４１，７１…第１重合体
１２，３２，４２，７２…第２重合体
１３，１５，３３，３５，４３，４５，７３，７５…段ボールシート
１４，１６，３４，３６…開口部
１７，１８，３７，３８，４７，４８，７７，７８…爪研ぎ面
４４，７４…挿入口（開口部）
ａ…中心原紙
【図１】
0003206116.tif 000003
【図２】
0003206116.tif 000004
【図３】
0003206116.tif 000005
【図４】
0003206116.tif 000006
【図５】
0003206116.tif 000007
【図６】
0003206116.tif 000008
【図７】
0003206116.tif 000009
【図８】
0003206116.tif 000010
【図９】
0003206116.tif 000011
【図１０】
0003206116.tif 000012
【図１１】
0003206116.tif 000013